(57)【要約】【課題】複数台の空気清浄機の稼働中における検知部の検出結果を参照するなどして、適宜に配置変更の提案を通して対象領域内の環境をより清浄化するべく支援する。【解決手段】空気清浄機監視装置２０は、対象領域に対応する領域モデルＡＭを表示部２２２に表示する表示制御部２１１と、表示された領域モデルＡＭ内であって、複数台の空気清浄機１０の対象領域内での配置に対応する各位置に配置情報１１〜１６を設定して、表示部２２２  に併記表示させる配置設定部２１２と、表示部２２２に表示されている配置情報１１〜１６を変更する配置変更提案部２１３とを備える。【選択図】図２
2016142489.tif 000002
【特許請求の範囲】
【請求項１】
対象領域に配置される複数台の空気清浄機に備えられた、少なくとも１種類の環境雰囲気を検出する検知部で検出された検出結果を受信して、前記対象領域内の空気清浄化を管理する空気清浄機監視装置であって、
前記対象領域に対応する領域モデルを表示部に表示する表示制御手段と、
表示された前記領域モデル内であって、前記複数台の空気清浄機の前記対象領域内での配置に対応する各位置に配置情報を設定して、前記表示部に併記表示させる配置設定手段と、
前記表示部に表示されている前記配置情報を変更する配置変更提案手段とを備えたことを特徴とする空気清浄機監視装置。
【請求項２】
前記配置情報の変更は、配置位置の変更、台数の変更、清浄空気の気流方向の変更、及び異なる空気清浄性能を持つ他の空気清浄機との置換の少なくとも１つを含むことを特徴とする請求項１に記載の空気清浄機監視装置。
【請求項３】
前記表示制御手段は、前記検知部からの検出結果と予め設定された閾値とを関連付けて前記表示部に表示することを特徴とする請求項１又は２に記載の空気清浄機監視装置。
【請求項４】
前記配置変更提案手段は、前記検知部からの検出結果が予め設定された閾値に対して配置変更を要する関係になった場合、環境雰囲気を良好に変える方向に前記配置情報を変更する配置変更演算手段を備えたことを特徴とする請求項１〜３のいずれかに記載の空気清浄機監視装置。
【請求項５】
前記配置変更提案手段は、外部から前記配置情報の変更を指示する操作部と、変更指示された配置情報及び配置変更前の前記検知部の検出結果から環境雰囲気をシミュレーションする予測演算手段とを備えたことを特徴とする請求項１〜４のいずれかに記載の空気清浄機監視装置。
【請求項６】
前記検知部からの検出結果が、ほこり、臭い、温度、及び湿度の少なくとも１つを含むことを特徴とする請求項１〜５のいずれかに記載の空気清浄機監視装置。
【請求項７】
前記複数台の空気清浄機と無線で接続されていることを特徴とする請求項１〜６のいずれかに記載の空気清浄機監視装置。
【請求項８】
少なくとも１種類の環境雰囲気を検出する検知部を備えた、複数台の空気清浄機と、前記複数台の空気清浄機の検知部で検知された検知結果を受信する監視装置とを備えた空気清浄機管理システムであって、
前記監視装置は、
対象領域に対応する領域モデルを表示部に表示する表示制御手段と、
表示された前記領域モデル内であって、前記複数台の空気清浄機の前記対象領域内での配置に対応する各位置に配置情報を設定して、前記表示部に併記表示させる配置設定手段と、
前記表示部に表示されている前記配置情報を変更する配置変更提案手段とを備えたことを特徴とする空気清浄機管理システム。
【発明の詳細な説明】
【技術分野】
【０００１】
本発明は、対象領域内に設置した複数台の空気清浄機の配置の管理を行う技術である。
【背景技術】
【０００２】
特許文献１には、粉塵を集塵するフィルタを有する集塵ユニットを備えた空気清浄機が監視センタに通信ネットワークで接続され、空気清浄機が、その集塵ユニットによる粉塵の集塵量に関するデータを検出し、そのデータから集塵機能を維持するために必要な、前記フィルタの次回洗浄時期や洗浄履歴などを監視センタに送信する技術が記載されている。特許文献２には、室内に、空気清浄機と、それから離れた位置に配置され、気体を流動させる複数のサーキュレータＡ〜Ｄとが設置され、サーキュレータの周囲の気流を気流センサにより検知してサーキュレータＡ〜Ｄを効率よく運転することで、空気清浄機から離れたところに浮遊している不純物を空気清浄機の近傍に誘導し、効率よく広範囲の不純物を回収して空気を浄化する技術が記載されている。また、特許文献３，４には、空気清浄機と画像形成装置とを接続したシステムが記載されている。特許文献３に記載のシステムは、画像形成装置内に設置された環境センサの応答により、ネットワーク等の通信手段を用いて、エアコンディショナ、加湿機、空気清浄機及び気圧制御装置の制御を行うことで、常に画像形成装置の特性を安定維持するようにしている。特許文献４に記載のシステムは、外部サーバがネットワークで接続された画像形成装置の稼動情報を管理するだけでなく、画像形成装置に付設された空気清浄機の稼動情報をも容易に管理するようにしている。
【先行技術文献】
【特許文献】
【０００３】
【特許文献１】特開２００８−８２６６１号公報
【特許文献２】特開２０１０−２４９３２９号公報
【特許文献３】特開２００３−９８９４１号公報
【特許文献４】特開２０１１−２４０１４号公報
【発明の概要】
【発明が解決しようとする課題】
【０００４】
しかしながら、特許文献１，２に記載の技術は、オフィスなどの空間内に１台の空気清浄機を設け、その条件下で空気清浄効率の向上を図るようにしたものであり、複数台の空気清浄機の配置を前提としたものではない。また、特許文献３，４に記載の技術は、空気清浄機を画像形成装置に付設した構造に係るものであり、同様に、空間内に複数台の空気清浄機を配置した構成を前提とするものではない。従って、複数台の空気清浄機でオフィス空間全体をより良い環境に改善する技術は何ら記載していない。
【０００５】
本発明は、前記課題に鑑みてなされたもので、対象領域内に設置した複数台の空気清浄機の再配置を提案して空間全体の環境改善を支援する空気清浄機監視装置及び空気清浄機管理システムを提供することを目的とする。
【課題を解決するための手段】
【０００６】
本発明に係る空気清浄機監視装置は、対象領域に配置される複数台の空気清浄機に備えられた、少なくとも１種類の環境雰囲気を検出する検知部で検出された検出結果を受信して、前記対象領域内の空気清浄化を管理する空気清浄機監視装置であって、前記対象領域に対応する領域モデルを表示部に表示する表示制御手段と、表示された前記領域モデル内であって、前記複数台の空気清浄機の前記対象領域内での配置に対応する各位置に配置情報を設定して、前記表示部に併記表示させる配置設定手段と、前記表示部に表示されている前記配置情報を変更する配置変更提案手段とを備えたことを特徴とするものである。
【０００７】
また、本発明に係る空気清浄機管理システムは、少なくとも１種類の環境雰囲気を検出する検知部を備えた、複数台の空気清浄機と、前記複数台の空気清浄機の検知部で検知された検知結果を受信する監視装置とを備えた空気清浄機管理システムであって、前記監視装置は、対象領域に対応する領域モデルを表示部に表示する表示制御手段と、表示された前記領域モデル内であって、前記複数台の空気清浄機の前記対象領域内での配置に対応する各位置に配置情報を設定して、前記表示部に併記表示させる配置設定手段と、前記表示部に表示されている前記配置情報を変更する配置変更提案手段とを備えたことを特徴とするものである。
【０００８】
これらの発明によれば、表示制御手段によって、環境清浄化の対象領域に対応する領域モデルが表示部に表示され、さらに、配置設定手段によって、表示された前記領域モデル内であって、前記複数台の空気清浄機の前記対象領域内での配置に対応する各位置に、例えば管理者の操作を介して配置情報が設定されて、この配置情報が前記表示部に領域モデルと併記表示される。そして、配置変更提案手段によって、前記表示部に表示されている前記配置情報に対する変更が発動される。従って、予め設定された配置情報を、空気清浄機の実際の稼働中に、検知部で検出された検出結果を参照するなどして適宜に変更する提案ができるので、対象領域内の環境をより清浄化するための支援が図れる。なお、配置変更提案手段は管理者の指示を受け付けて発動する態様の他、必要に応じて自動で発動されるようにしてもよい。
【０００９】
また、前記配置情報の変更は、配置位置の変更、台数の変更、清浄空気の気流方向の変更、及び異なる空気清浄性能を持つ他の空気清浄機との置換の少なくとも１つを含むことを特徴とする。この構成によれば、配置情報の変更について種々の態様が採用可能となるので、検知部で検出された検出結果に応じて、より好適な環境改善方法が提供できる。
【００１０】
また、前記表示制御手段は、前記検知部からの検出結果と予め設定された閾値とを関連付けて前記表示部に表示することを特徴とする。この構成によれば、検知部で検出された検出結果の良否状態が視認容易となるので、配置変更提案の要否判断がしやすくなる。
【００１１】
また、前記配置変更提案手段は、前記検知部からの検出結果が予め設定された閾値に対して配置変更を要する関係になった場合、環境雰囲気を良好に変える方向に前記配置情報を変更する配置変更演算手段を備えたことを特徴とする。この構成によれば、配置変更の提案が閾値との関係で自動的に発動されることになる。
【００１２】
また、前記配置変更提案手段は、外部から前記配置情報の変更を指示する操作部と、変更指示された配置情報及び配置変更前の前記検知部の検出結果から環境雰囲気をシミュレーションする予測演算手段とを備えたことを特徴とする。この構成によれば、管理者からの指示を受け付けて配置変更の提案がなされた場合には、
提案内容での環境雰囲気の予測がシミュレーションされるので、管理者の提案内容の適否確認が可能となる。
【００１３】
また、前記検知部からの検出結果が、ほこり、臭い、温度、及び湿度の少なくとも１つを含むことで、種々の環境雰囲気についての環境改善が期待される。
【００１４】
また、空気清浄機監視装置が前記複数台の空気清浄機と無線で接続されることで、配置変更作業が容易となる。
【発明の効果】
【００１５】
本発明によれば、複数台の空気清浄機の稼働中における検知部の検出結果を参照するなどして適宜に配置変更の提案を通して、対象領域内の環境をより清浄化が支援できる。
【図面の簡単な説明】
【００１６】
【図１】空気清浄機の一例を示す図で、（ａ）は概略外観図、（ｂ）は機能構成図である。
【図２】監視装置の第１実施形態を示す機能構成図である。
【図３】新規登録された状態の画面図の一例を示す図である。
【図４】配置変更提案の一例を示す画面図である。
【図５】配置変更提案における検出予測値を算出する計算手法の一例を示す図で、（ａ）は座標を示し、（ｂ）は一例として示される計算手法を図解したものである。
【図６】追加提案の一例を示す画面図である。
【図７】検出値の現在の状況を示す画面図である。
【図８】検出値の経時変化の状況を示す画面図である。
【図９】検出値の経時変化の状況を示す画面図で、（ａ）は変更前の状態の検出値を示し、（ｂ）は変更後の検出予測値を示す画面図である。
【図１０】空気清浄機管理処理の第１実施形態を示すフローチャートである。
【発明を実施するための形態】
【００１７】
本発明に係る空気清浄機管理システムは、空気清浄対象空間（対象領域）に配置される複数台の一般的な空気清浄機１０と、監視装置２０と、各空気清浄機１０と監視装置とを通信可能に接続するためのアクセスポイントとを有して構成されている。なお、アクセスポイントは、別途設けてもよいが、以下では、監視装置２０が備えた態様として説明する。そして、各空気清浄機１０に搭載されている環境雰囲気の状態を検出するセンサから定期的に送られてくる検出結果を監視し、検出結果に基づいて、複数台の空気清浄機１０の現配置状態に対してその変更を提案する。
【００１８】
まず、空気清浄機１０は、図１（ａ）の一例に示すように、略直方体形状の筐体を有し、公知のように内部に空気清浄処理を実行するための各構成部が設けられている。空気清浄機１０は、例えば筐体の左右側面の隙間である吸気口１０Ａから矢印Ｘで示すように空気を内部に吸入し、内部で清浄化処理された空気を、上部の斜め上方等の所定方向に向けられたスリット条の送気口１０Ｂから矢印Ｙで示すように吹き出すものである。
【００１９】
空気清浄機１０は、図１（ｂ）に示すように、例えばマイクロコンピュータで構成される運転制御部１０１を備え、構成部１０１１〜１０１４、各種のセンサ群１０２１〜１０２５、及び記憶部１０３１と接続されている。
【００２０】
空気清浄機１０の構造は公知であるので、簡単に構成部１０１１〜１０１４について説明する。ファンモータ１０１１は、吸気口１０Ａと送気口１０Ｂとを連通するように構成された通気路の途中に配置された送風用のファンを、運転制御部１０１によって、所定の風速風量（性能）となるように乃至は所要の性能範囲内で回転駆動させる。吸気口１０Ａの通気方向直ぐ下流には、パネル状の集塵フィルタ及び脱臭フィルタが通気方向に対向する向きで積層配置されている。脱臭フィルタは、不織布に活性炭を分散保持させたもので、吸入空気中に含まれる臭い成分を吸着、除去する。集塵フィルタは、公知のＨＥＰＡ（High EfficiencyParticulate Air ）フィルタであり、吸入空気中に含まれる微細な、例えばＰＭ２．５以下の所定サイズまでの塵埃を捕集、除去する。ファンモータ１０１１の回転速度によって集塵、脱臭量が決まる。なお、図１（ａ）の吸気口１０Ａに代えて、背面１０Ｃを多数の吸入孔を有するパネル体で構成し、このパネル体を介して空気を吸気し、集塵フィルタ及び脱臭フィルタに通気させるようにしてもよい。加湿器１０１２は、加湿フィルタと水槽とからなる一般的な構成とされ、水槽の水分の加湿フィルタへの供給量を調整することで湿度を増減する。イオン発生器１０１３は、通気路に露出して配置されるもので、針状の放電電極と対向する誘導電極とを備える一般的な構成とされ、電極間に高電圧を印加してコロナ放電を起こして通気路内に正負イオンを発生供給する。例えば間欠動作における印加時間を調整することでイオン量を増減する。送気口１０Ｂから外へ放出されたイオンは、菌類、ウイルス及びアレルゲン等を死滅などさせて、悪臭の原因物質、例えばアセトアルデヒドを分解する。通信部１０１４は、離間位置にある、後述のアクセスポイントとの間で通信、好ましくは無線で通信する無線ＬＡＮを構築するもので、各種のセンサ群１０２１〜１０２５の検出値を機器の識別情報と結び付けて送信する。記憶部１０３１は、運転制御部１０１を動作させる制御プログラム、各種のセンサ群１０２１〜１０２５の検出結果を一時的に記憶するものである。
【００２１】
次に、各種のセンサ群１０２１〜１０２５について簡単に説明する。ほこりセンサ１０２１は、光学式粒子センサ等で、吸気口１０Ａと集塵フィルタとの間で、ほこりの量を検出する。光学式粒子センサは、検知対象空間内を浮遊する粒子に赤外光を照射し、その反射光の受光レベルを検出することで、ほこりの量を検出する。臭いセンサ１０２２は、公知のガスセンサ等で、吸気口１０Ａと脱臭フィルタとの間で、臭気の要因となるガスの濃度を検出することによって、吸気口１０Ａから吸入される空気中の臭気のレベルを検出する。温湿度計１０２３は、吸気口１０Ａから吸入される空気の温度及び湿度を検出して、温度及び相対湿度を計測する。微粒子センサ１０２４は、吸気口１０Ａと集塵フィルタとの間で、ほこりの量を検知する。微粒子センサ１０２４は、ほこりの粒子を大きさで分ける手法、粒子そのものを検出する方法、その他、分粒器で選り分けられたＰＭ２．５以下のサイズの粒子の浮遊する空間に赤外光を照射して乱反射させ、その受光レベルで量を検出する手法の装置が採用可能である。イオンセンサ１０２５は、通気路においてイオン発生器１０１３の下流側に設置され、通気路を通流するイオンの量を検出する。
【００２２】
運転制御部１０１は、構成部１０１１〜１０１４を予め設定された性能下で運転する態様でもよいし、各種のセンサ群１０２１〜１０２５による検知結果に対応して、ある範囲内で性能が可変調整、例えばファンモータ１０１１の回転数増減、湿度増減、イオン量増減させる態様であってもよい。また、各種のセンサ群１０２１〜１０２５による検知結果は、アクセスポイントを介して周期的に監視装置２０に送信される。
【００２３】
監視装置２０は、通信機能を備えた情報処理端末が採用可能であり、本実施形態では、携帯型、設置型を問わず、一般的なパーソナルコンピュータを想定している。空気清浄機管理システムの利用形態として、作業環境、例えばオフィスの一室（対象領域）に複数台の空気清浄機１０が配置されており、監視装置２０は同室内あるいは他の部屋に配備されている。なお、少なくとも１台の画像形成装置３０が配置されていてもよく、この場合、画像形成装置をアクセスポイントとして中継的に利用することも可能である。
【００２４】
監視装置２０は、図２に示すように、マイクロコンピュータを備える制御部２１と、画像を表示する表示部２２２及びその上面に敷設された透明なシート状で、押下位置を検知するタッチセンサ２２１からなるタッチパネル２２と、複数台の空気清浄機１０と通信するアクセスポイントとして機能させる通信部２３とを備えている。制御部２１は、処理プログラムを記憶するＲＯＭ２１Ａ、処理データを一時的に記憶する、例えばＲＡＭ２１Ｂと接続されている。
【００２５】
制御部２１は、処理プログラムを実行することで、表示制御部２１１、配置設定部２１２及び配置変更提案部２１３として機能する。配置変更提案部２１３は、変更配置演算部２１４、予測演算部２１５としての機能をさらに有する。
【００２６】
表示制御部２１１は、タッチパネル２２から入力された内容、指示された内容を必要に応じて表示するものである。表示制御部２１１は、図３に示す表示部２２２の画面の下段に操作部として機能する各種のボタン、各種設定ボタン２２１１、数値モニタボタン２２１２、配置提案ボタン２２１３及び追加提案ボタン２２１４、その他、各レイヤの操作画面に設けられるボタンの表示を行う。なお、監視装置２０が、タッチパネル２２以外の物理的な操作部材（マウス、テンキー等）を操作部材として有する態様では、表示制御部２１１は、かかる操作部材への操作結果に応じた内容の表示を行う。また、表示制御部２１１は、後述するように、各種のセンサ群１０２１〜１０２５による検出結果の表示、配置設定部２１２及び配置変更提案部２１３で処理された結果を表示する。
【００２７】
配置設定部２１２は、管理者によるタッチパネル２２への入力内容に従って、新規登録時の配置空間の形状設定、配置設定、型番設定、気流方向設定等の初期設定を行う。配置空間の形状設定とは、図３に示す表示部２２２の画面において、対象領域としてのオフィスの平面視のレイアウトを実際のサイズに対応した比率の領域モデルＡＭとして再現設定する。図３の例では、平面視で正方形のオフィスである。領域モデルＡＭ内には、所要数のブロック線ＢＬが等間隔で描画されている。ブロック線ＢＬは、空気清浄機１０の配置操作を助長し、また配置位置を視認容易にする。領域モデルＡＭの設定を含む配置空間の形状設定は、例えば、予め準備された形状作画用プリケーションプログラムを利用して操作することで可能となる。図３の例では、オフィスに６台の空気清浄機１０が配置され、かかる実際の配置に一致するように、配置設定の操作によって、各空気清浄機１０を示すマーク１１〜１６が領域モデルＡＭ内の対応位置にそれぞれ設定されて表示される。配置設定の情報には、機器の識別情報も含まれ、これによって実際の機器の配置と領域モデルＡＭ内のマークの配置とが対応付けられる。
【００２８】
型番設定は、マーク１１〜１６に対応する空気清浄機１０の機種を特定、主にその性能を設定するものである。ここでは、マーク１１〜１６に対応する実機のモデル名を入力するだけの設定としている。すなわち、例えばＲＡＭ２１Ｂには、モデル名に対応する空気清浄機１０の各性能情報、一例として加湿機能の有無、イオン発生機能の有無、最大風量・最大風速の情報を含むリストテーブルが参照可能に予め記憶されており、後述の配置変更提案などではかかる性能情報等が必要に応じて考慮されて行われる。
【００２９】
気流方向設定は、空気清浄機１０の送気口１０Ｂの向きを設定するものである。送気口１０Ｂの向きは、向き調整部材が設けられている態様では、この調整部材を操作することで行われ、一方、向き調整部材がない態様では、空気清浄機１０自体の向きを変える作業で行われる。なお、送気口１０Ｂが全方位に開放している態様では不要である。これらの各種の情報の設定は、各種設定ボタン２２１１を操作することで、各種の設定画面に切り替わり、その設定画面において、上述した必要な情報を入力設定し得るようになっている。
【００３０】
数値モニタボタン２２１２は、各種のセンサ群１０２１〜１０２５による検知結果の表示の指示を受け付けるもので、その表示態様として、図７に示す「現在の状況」の表示と、図８に示す「経時変化」の表示とがある。図７、図８に示すように、画面内には、互いに他の表示態様に切替える「現在の状況」ボタン２２１５と「経時変化」ボタン２２１６とが設けられている。「現在の状況」は、図７に示すように、配置されている各空気清浄機１０に搭載されている各種のセンサ群１０２１〜１０２５からの各環境雰囲気の最新の検出結果をグラフ、例えば棒グラフで表示したものである。図中に例示したように、各棒グラフの箇所には、対応する環境雰囲気について予め設定された閾値Ｔｈｉ，Ｔｈｊの記号（図ではバー（破線））が併記されている。「経時変化」は、図８に示すように、計時方向を横軸に、各種の環境雰囲気レベルを縦軸にして、それぞれを表示している。なお、時間軸に平行な線は、対応する閾値（図中、一例として示すバー（破線）は、湿度閾値Ｔｈｋ）を示している。
【００３１】
配置変更提案部２１３は、本実施形態では、２種類の態様を選択可能にしている。すなわち、管理者からの配置変更提案指示を受け付けた後、各種センサ群１０２１〜１０２５からの検知結果を利用して自動的に配置変更の設定処理を行う自動提案態様と、管理者が各種センサ群１０２１〜１０２５からの検知結果を参照して、あるいは管理者の恣意的な配置変更を提案する手動提案態様とである。配置変更提案には、文字通りの配置提案の他、前述したように、追加提案の態様を含む。配置提案ボタン２２１３又は追加提案ボタン２２１４のいずれか一方が選択操作されると、次画面で、提案に際して注目する環境雰囲気の選択、及び前述した２種類の操作態様が選択可能にされる。配置変更提案には、さらに性能提案や気流方向提案を含めてもよい。
【００３２】
注目する環境雰囲気の選択とは、各種のセンサ群１０２１〜１０２５の内のいずれの検出値に着目して配置等の提案を指示するかを設定する操作をいう。例えば、ほこりセンサ１０２１の検出値に着目したり、任意の複数種類の乃至は全種類の検出値に着目したりして配置等の提案を行う。複数種類の検出値に着目する場合、必要に応じて各検出値に重み係数を設定するなどすれば、より信頼性の高い配置等の提案が期待できる。
【００３３】
自動提案態様では、提案を受け付ける毎に、注目する（選択された）環境雰囲気が現状よりも良好となるように配置等の提案をするようにしてもよい。または、提案を受け付けた際に、注目する環境雰囲気の検出値が、対応する環境雰囲気に対して設定された閾値を超えているか否かを判断し、超えている場合に、変更配置演算部２１４によって、当該注目する環境雰囲気に関して、関連する空気清浄機１０の検出値を利用して所定の演算、例えば比例配分を行って、他の乃至は近傍に配置されている空気清浄機１０の配置等の変更の提案を行うものでもよい。
【００３４】
配置等の変更は、注目環境雰囲気に関して悪環境を示す空気清浄機１０の領域を、現状よりは清浄環境にするものである。本実施形態では、近傍に配置の、余裕のある他の空気清浄機１０を、前記悪環境を示す空気清浄機１０の設置位置に近づけることで清浄化を助長する。例えば、ほこりを注目環境雰囲気とした場合に、図３において、マーク１５に対応する空気清浄機１０のほこりセンサ１０２１が最大で、この時、近傍にある、マーク１２に対応する空気清浄機１０のほこりセンサ１０２１が最小を示し、マーク１３に対応する空気清浄機１０のほこりセンサ１０２１も低かったと仮定する。この場合、図４に示すように、マーク１２を位置変更して、マーク１２０のようにマーク１５側に近づけることで、マーク１２０，マーク１３及びマーク１５を含む領域を主眼としながら領域全体の環境雰囲気の向上（全体として空調環境の平滑化）を図る。
【００３５】
次に、予測演算部２１５について説明する。図３、図４に示すように、マーク１２をマーク１２０の位置に手動提案で変更した場合、予測演算部２１５は、マーク１２０の位置でのほこりセンサ１０２１の検出予測値を算出する。この場合の検出予測値の算出について、図５を用いて説明する。ここでは、比例配分を利用して検出予測値を算出する方法を説明する。図５（ａ）に示すように、マーク１１〜１６の現設置位置（設置座標）を定義し、注目するセンサ、ここでは、ほこりセンサ１０２１の検出値をｆで表す。
【００３６】
マーク１２を、マーク１２とマーク１５とを結ぶ線分上から、マーク１３側に移動させる場合、下記のように、マーク１３に対応する検出値も用いて、図５（ｂ）に示す座標Ｐ１，Ｐ２での検出予測値を計算の上、マーク１２０に相当する座標Ｐ３での検出予測値を算出することで、変更後である座標Ｐ３での予測値を求めることが可能となる。そして、マーク１２０が座標Ｐ３の位置に変更されることで、マーク１２の位置からマーク１２０の位置に変更したと想定した空気清浄機１０によって、マーク１５（さらにはマーク１３）に対応する空気清浄機１０の設置領域のほこりが一層減少することになり、清浄化が図れることになる。
【００３７】
以下、計算例を示す。マーク１２に対応する検出値ｆ(ｘ２，ｙ２)が最小で、マーク１５に対応する検出値ｆ(ｘ５，ｙ５)が最高（ほこりが最も多い）とし、このマーク１５の設置座標に清浄化対策が必要（図４のマーク１２０の位置に相当する座標Ｐ３に移動）であるとの提案をした場合の手順について説明する。この場合、まず、マーク１２をマーク１５側に接近させるようにする。
【００３８】
（処理１）
マーク１５に隣接するマークに対応する検出値を比較する。図５（ｂ）の例では、マーク１２とマーク１３とが近傍位置として該当するものとし、
ｆ(ｘ５，ｙ５)＞ｆ(ｘ２，ｙ２)
ｆ(ｘ５，ｙ５)＞ｆ(ｘ３，ｙ３)とする。
【００３９】
（処理２）
また、マーク１２とマーク１５との中間地点の座標Ｐ１での検出予測値をｆ(ｘ２５，ｙ２５)と表し、同様に、マーク１３とマーク１５との中間地点の座標Ｐ２での検出予測値をｆ(ｘ３５，ｙ３５)と表すことにする。さらに、座標Ｐ１，Ｐ２の中間位置の座標Ｐ３での検出予測値を、ｆ(ｘ２５，３５，ｙ２５，３５)と表すことにする。
【００４０】
（計算１）
（座標Ｐ１の検出予測値）
Δ２５＝{ｆ(ｘ５，ｙ５)―ｆ(ｘ２，ｙ２)}／|(ｘ５，ｙ５)―(ｘ２，ｙ２)|
ｆ(ｘ２５，ｙ２５)＝ｆ(ｘ２，ｙ２)＋Δ２５／|(ｘ２５，ｙ２５)―(ｘ２，ｙ２)|
（座標Ｐ２の検出予測値）
Δ３５＝{ｆ(ｘ５，ｙ５)―ｆ(ｘ３，ｙ３)}／|(ｘ５，ｙ５)―(ｘ３，ｙ３)|
ｆ(ｘ３５，ｙ３５)＝ｆ(ｘ３，ｙ３)＋Δ３５／|(ｘ３５，ｙ３５)―(ｘ３，ｙ３)|
（座標Ｐ３の検出予測値）
ｆ(ｘ３５，ｙ３５)＞ｆ(ｘ２５，ｙ２５)とすると、
Δ(３５，２５)＝{ｆ(ｘ３５，ｙ３５)―ｆ(ｘ２５，ｙ２５)}／|(ｘ３５，ｙ３５)―(ｘ２５，ｙ２５)|
以上の計算によって、座標Ｐ３（マーク１２０の位置）のほこりの検出予測値ｆ(ｘ３５，２５，ｙ３５，２５)は、
ｆ(ｘ３５，２５，ｙ３５，２５)＝ｆ(ｘ２５，ｙ２５)＋Δ（３５，２５）／|(ｘ３５，２５、ｙ３５，２５)―(ｘ２５，ｙ２５)|
のように求められる。
【００４１】
次いで、マーク１２の位置からマーク１２０の位置への配置変更によって、マーク１５に対応する空気清浄機１０では、ほこりセンサ１０２１の検出値が低下することが予測される。
【００４２】
（計算２）
必要に応じて、空気清浄機１０の１つの性能である時間当たりのほこり吸引量（ファンモータ１０１１の最大風量、最大風速や集塵フィルタの性能から決まる）、及び設置位置からの距離に応じたほこり吸引率を予め設定しておくことで、マーク１２０とマーク１５との設置間距離から、マーク１２０に対応する空気清浄機１０によってマーク１５の位置での、時間経過に応じたほこり吸引量の低下を含めて検出予測値として得ることができる。その結果、マーク１２０の位置でのほこり吸引量が過渡的に漸減されて所定レベルに低下していくように、マーク１２０、マーク１５の位置でのほこり吸引量が予測される。なお、この場合において、提案時点でのマーク１５に対応するほこりセンサ１０２１の検出値に、直前の変化度合いを加味することでより、マーク１５の位置での経時方向への正確な予測が可能となる。
【００４３】
図９（ａ）は、配置変更前の、すなわちマーク１５に対応する空気清浄機１０の各種センサ群１０２１〜１０２５からの検出値の経時変化を表示した画面の一例を示し、図９（ｂ）は、図４の配置変更後のマーク１５の予測値を含む検出値の経時変化を示した画面である。図９（ｂ）では、説明の便宜上、時間軸は図９（ａ）の２倍に圧縮されており、その前半は配置変更前の検出値、後半は配置変更後の予測値を示している。ほこり以外の予測値は、前記方法と同様な比例配分手法を採用した演算を実行して算出可能である。
【００４４】
なお、図５の例では、座標Ｐ１，Ｐ２，Ｐ３をそれぞれのマークの中間位置としたが、中間位置に限定する必要はない。この場合、例えばマーク１２とマーク１５との間の線分上の一点を内分点として設定した場合、この内分点で比例配分した予測値を算出すればよい。
【００４５】
続いて、変更配置演算部２１４による自動提案態様について説明する。変更配置演算部２１４は、改善対象となる空気清浄機１０が決定されると、配置変更対象となる、改善対象の空気清浄機１０の近傍の１台又は複数台を選択する。選択条件は、例えば近傍の１台、２台、所定台数、または所定距離内に存在する空気清浄機の全てが対象とされる。例えば図５の座標Ｐ１，Ｐ２、Ｐ３からマーク１５に対応する検出予測値を求め、求めた検出予測値が所望するレベル辺りまで低下することを条件にして、自動設定可能である。なお、検出予測値に対する前記所望レベルは、予め設定しておけばよい。
【００４６】
また、追加提案ボタン２２１４が押下されると、新たな空気清浄機１０に対応するマークの設定が可能となる。例えば、図６に示すように、新たな空気清浄機１０に対応するマーク１７が表示部２２２の画面に表示される。追加されるマーク１７の位置は、手動提案態様の場合は、管理者が操作して配置位置を自在に変更設定可能にされる。一方、自動提案態様の場合は、配置変更では改善が望めない悪環境状態にあると想定されることから、例えばマーク１３，マーク１５の位置が改善すべき悪環境にあるとした場合に、図５の計算手法をマーク１３とマーク１５との間で適用して、当該マーク１３，１５の検出予測値が、所望のレベルまで低下するようになる位置にマーク１７が設定される。
【００４７】
次に、制御部２１が実行する空気清浄機管理処理の手順を、図１０のフローチャートを用いて説明する。まず、監視装置２０の例えば初期画面に設定されたボタンの内、新規登録のためのボタンが、あるいは新規登録用として予め設定された物理的な所定の操作部材が操作されたか否かが判断される（ステップＳ１１）。新規登録でないと判断されると、次に、空間形状変更か否かが判断される（ステップＳ１３）。新規登録でなく、かつ空間形状変更でない場合（ステップＳ１１，Ｓ１３でＮｏ）には、再設定の提案であることから、ステップＳ１７の配置変更の判断、及びそれ以降のステップＳ２１の型番変更の判断、ステップＳ２５の気流方向変更の判断に順次進む。
【００４８】
一方、ステップＳ１１で新規登録と判断され、あるいはステップＳ１３で空間形状変更と判断されると、配置空間の形状設定が許可される（ステップＳ１５）。新規登録の場合には、ステップＳ１５の配置空間の形状設定、ステップＳ１９の配置設定、ステップＳ２３の型番設定、ステップＳ２７の気流方向の設定が順次許可される。なお、不要な設定項目はスルー可能にされている。また、監視装置２０への新規登録作業は、対象領域に実際に、所定の性能を持つ空気清浄機１０を所定台数だけ、気流方向を考慮して配置した結果を事後的に入力設定する態様と、登録内容に従って実際の対象領域に設置するような事前に入力設定する態様とがあるが、本実施形態では、いずれの態様でもよい。
【００４９】
まず、ステップＳ１５では、図３に示すような、対象領域の領域モデルＡＭの設定を含む配置空間の形状設定の操作が許可される。配置設定は、前記領域モデルＡＭ内に対して位置の指定とモデル名を指定して空気清浄機１０を設定することで可能となる。ステップＳ１９では、図３に示すような、領域モデルＡＭ内に空気清浄機１０を表すマーク１１，１２，…が必要数だけ、任意の位置に設定される。ステップＳ２３では、性能と関連付けされたモデル名の指定が行われる。ステップＳ２７では、空気清浄機１０の送気口１０Ｂの向きの指定が行われる。向きは、平面視の領域モデルＡＭに対して上下左右の各向き程度の設定としてもよい。
【００５０】
次いで、再設定の提案時の処理を説明する。ステップＳ１７で配置変更と判断されると、図５の手法を利用して図４のような配置変更が提案され、提案内容が表示され、提案内容に従った予測結果を閲覧することが可能となる。この場合、型番変更、気流方向の提案があれば、引き続いて設定可能である。一方、配置変更でなく、ステップＳ２１で型番変更と判断されると、配置の変更はなく、単位型番の変更が指示され、さらに必要に応じて気流方向の提案が可能となる。そして、型番変更でなく、ステップＳ２５で気流方向の変更と判断されると、配置の変更、型番変更共になく、気流方向の変更のみ提案が可能とされて、本フローを抜ける。なお、各判断ステップに対して個々に処理が対応する手順としてもよい。
【００５１】
なお、第１実施形態では、図３に示すように、配置提案ボタン２２１３と追加提案ボタン２２１４とを個別に設けたが、これらを配置提案ボタン（あるいは提案ボタン）として１個とし、その下層レイヤにそれぞれのボタンを設ける態様としてもよい。
【００５２】
第１実施形態では、配置変更で環境清浄化を実現するものであるが、第２実施形態として、自走型の清浄機を採用可能な態様としてもよい。図３、図４及び図６に示すマーク４１は、自走型の清浄機を示す記号である。マーク４１に対応する実際の自走型の清浄機は、例えば円盤状を有する本体をなし、内部には、吸気口と送気口との間に、空気清浄機１０と同様なほこり吸引用の構造部（各種フィルタ、送風ファンなど、また必要に応じて各種のセンサ）を備えている。また、走行面に露出する左右の車輪等の走行部材と、清掃及び走行を制御するマイクロコンピュータ等で構成される制御部と、監視装置２０と通信するアンテナを含む通信部とを備えている。監視装置２０の制御部２１は、図４、図６に示すような空気清浄機１０の位置変更、追加等に代えて、あるいは位置変更、追加に加えて自走型の清浄機を遠隔的に移動制御させて清浄領域の清浄を助長するようにしてもよい。自走型の清浄機は監視装置２０からの位置情報乃至は左右駆動量情報を受けて走行制御される。
【００５３】
第１実施形態では、自動提案態様として管理者の発意で提案することとしたが、第３実施形態として、配置変更提案部２１３によって、各種センサ群１０２１〜１０２５からの検出値と、対応する環境雰囲気に対して予め設定されている閾値との関係から自動的に配置変更の提案を行うようにしてもよい。そして、提案条件が行程されると、変更配置演算部２１４によって、当該注目する環境雰囲気に関して、関連する空気清浄機１０の検出値を利用して所定の演算、例えば比例配分を行って、他の乃至は近傍に配置されている空気清浄機１０の配置等の変更の提案を行うものでもよい。この場合、画面で、あるいは発音部材を介して管理者に報知する態様とすることが好ましい。
【００５４】
第１実施形態では、各空気清浄機１０に設置の各種のセンサ群１０２１〜１０２５の検出値を利用して、すなわち検出値を比例演算して、その間を補間するようにしたが、これに代えて、第４実施形態として、複数点の検出値から領域モデルＡＭ内の全域に対して検出値を補間する面補間処理を施し、かかる補間結果を利用して領域内の分布を作成する態様としてもよい。
【００５５】
第１実施形態では、監視装置２０にアクセスポイントを設けたが、対象空間に少なくとも１台の画像形成装置３０が配置されている場合、画像形成装置をアクセスポイントとして、空気清浄機１０との間で無線ＬＡＮ通信を行う通信部を備えた構成とし、さらに画像形成装置３０がマイクロコンピュータを内蔵し、かつ画像表示部を備えていることから、監視装置２０の機能を画像形成装置３０に代用させる態様としてもよい。
【００５６】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５７】
１０  空気清浄機
１０２１〜１０２５  各種のセンサ群（検知部）
２０  監視装置（空気清浄機監視装置）
２１  制御部
２２  タッチパネル（操作部）
２２２  表示部
２１１  表示制御部（表示制御手段）
２１２  配置制御部（配置設定手段）
２１３  配置変更提案部（配置変更提案手段）
２１４  配置変更演算部（配置変更演算手段）
２１５  予測演算部（予測演算手段）
１１〜１７  マーク
ＡＭ  領域モデル
【図１】
2016142489.tif 000003
【図２】
2016142489.tif 000004
【図３】
2016142489.tif 000005
【図４】
2016142489.tif 000006
【図５】
2016142489.tif 000007
【図６】
2016142489.tif 000008
【図７】
2016142489.tif 000009
【図８】
2016142489.tif 000010
【図９】
2016142489.tif 000011
【図１０】
2016142489.tif 000012